(57)【要約】【課題】不適切な分析パラメータの組み合わせが含まれることを防止した、液体クロマトグラフ用の分析パラメータを設定する機能を含む制御装置及びその制御方法を提供する。【解決手段】液体クロマトグラフの動作条件を規定する複数の設定項目の分析パラメータを記述したメソッドファイルに従って前記液体クロマトグラフの動作を制御する液体クロマトグラフ用制御装置であって、a) 各設定項目について、設定可能な分析パラメータを条件設定画面に表示する表示手段と、b) 各設定項目の分析パラメータについて、他の設定項目の分析パラメータとの組み合わせの適否を勘案したグループ分けをユーザに実行させるグループ設定手段と、c) 各設定項目の分析パラメータの中から同一グループに属する分析パラメータを抽出し、組み合わせてメソッドファイルを作成するファイル作成手段とを備える。【選択図】図２
2015017924.tif 000002
【特許請求の範囲】
【請求項１】
液体クロマトグラフの動作条件を規定する複数の設定項目の分析パラメータを記述したメソッドファイルに従って前記液体クロマトグラフの動作を制御する液体クロマトグラフ用制御装置であって、
a) 各設定項目について、設定可能な分析パラメータを条件設定画面に表示する表示手段と、
b) 各設定項目の分析パラメータについて、他の設定項目の分析パラメータとの組み合わせの適否を勘案したグループ分けをユーザに実行させるグループ設定手段と、
c) 各設定項目の分析パラメータの中から同一グループに属する分析パラメータを抽出し、組み合わせてメソッドファイルを作成するファイル作成手段と、
を備えることを特徴とする液体クロマトグラフ用制御装置。
【請求項２】
前記設定項目が、分析における移動相を構成する複数種類の溶媒であることを特徴とする請求項１に記載の液体クロマトグラフ用制御装置。
【請求項３】
前記設定項目が、さらにカラムを含むことを特徴とする請求項２に記載の液体クロマトグラフ用制御装置。
【請求項４】
液体クロマトグラフの動作条件を規定する複数の設定項目の分析パラメータを記述したメソッドファイルに従って前記液体クロマトグラフの動作を制御する液体クロマトグラフの制御方法であって、
a) 各設定項目について、設定可能な分析パラメータを条件設定画面に表示する表示ステップと、
b) 各設定項目の分析パラメータについて、他の設定項目の分析パラメータとの組み合わせの適否を勘案したグループ分けをユーザに実行させるグループ設定ステップと、
c) 各設定項目の分析パラメータの中から同一グループに属する分析パラメータを抽出し、組み合わせてメソッドファイルを作成するファイル作成ステップと、
を備えることを特徴とする液体クロマトグラフの制御方法。
【発明の詳細な説明】
【技術分野】
【０００１】
本発明は、液体クロマトグラフ分析に使用される、分析条件のパラメータを設定する機能を含む制御装置、及び該装置において用いられる方法に関し、特に、複数の分析パラメータの組み合わせから成るメソッドファイルを作成するための装置及びその方法に関する。
【背景技術】
【０００２】
液体クロマトグラフは、ポンプ、液体注入装置、カラムオーブン等の複数のユニット（部）から構成されており、制御装置からの制御信号に従って各ユニットの動作が制御される。
【０００３】
近年、こうした液体クロマトグラフにおいて、各分析ユニットを統括的に制御したり採取されたデータを処理するために、コンピュータに所定の制御／処理プログラムをインストールした制御装置が広く利用されている。こうした制御装置では、分析の開始に先立ってスケジュールテーブルを作成しておくことにより、多数の試料の連続分析などを自動的に行うことができるようになっている（例えば、特許文献１を参照）。
【０００４】
図７は、液体クロマトグラフ分析におけるスケジュールテーブルの一例である。このテーブルでは、１行が１回の分析に対応しており、１行中に、その分析を実行するのに必要な情報として、試料番号、試料の注入量、メソッドファイル名、及び分析結果を保存する際のデータファイル名などが記述される。ここで、メソッドファイルとは、液体クロマトグラフを構成する各ユニットの動作条件を指定するパラメータが格納されたファイルであり、例えば、分析時に使用する移動相やカラム、分析時におけるポンプ流量やカラムオーブンの温度といった各種の設定項目についての種類や値などの分析パラメータ（これら、１つの分析に用いられる分析パラメータを総称して分析メソッドと呼ぶ）が格納されている。
【０００５】
以上のようなスケジュールテーブルが作成された上で分析の開始が指示されると、そのスケジュールに従って順次試料が選択されるとともに各メソッドファイルに記述された分析メソッドに従って分析条件が設定され、多数の試料の分析が自動的に実行される。
【０００６】
こうした液体クロマトグラフにおいては、分析メソッドが異なれば得られる結果が異なる。図８は、分析メソッドの違いによって得られる結果の差異を示す図である。図８の（ａ）および（ｂ）は共に、混合液中の溶液Ｂの比率を、試料が注入されてから５分間は９０％に保持し、その後の２分間で５％まで下げてグラジエント送液法による分析（以下、「グラジエント分析」と呼ぶ）を行った場合のクロマトグラムである。図８（ａ）では、溶媒Ａは１０ ｍｍｏｌ／Ｌのクエン酸ナトリウム（ｐＨ ３.１）、溶媒Ｂはメタノールであり、図８（ｂ）では、溶媒Ａは１０ ｍｍｏｌ／Ｌの酢酸ナトリウム（ｐＨ４.７）、溶媒Ｂはメタノール＋アセトニトリル（５０：５０）である。
【０００７】
このように、分析メソッドの違いにより分析の結果が異なることから、ユーザは、１つの試料に対して様々な条件で予備的な分析を行い、その結果から、該試料に最適な分析メソッドを決定することが必要となる。このような予備的処理（探索）をメソッドスカウティングと呼ぶ。
こうしたメソッドスカウティングでは、まず、ユーザが、各種の設定項目の分析パラメータ、例えば、移動相の種類や、カラムの種類、分析時におけるポンプの流量の値、カラムオーブンの温度の値、２種類の溶媒から成る場合の移動相の構成比率の値やグラジエント分析の場合はその経時的変化などの範囲を具体的に設定する。その後、設定された範囲内で各種の設定項目の分析パラメータの組み合わせを変えたメソッドファイルが、ユーザによって、またはプログラムによって網羅的に作成され、これらメソッドファイルを含むスケジュールテーブルが作成される。そして、分析の開始の指示により、スケジュールテーブルの各行に記述された条件に従って分析が次々と実行される。また、分析結果であるクロマトグラムデータは分析毎にそれぞれ１つのデータファイルに格納され、ハードディスクドライブなどの記憶装置に保存される。ユーザは記憶装置に保存されたクロマトグラムデータを参照し、最適な分析結果が得られたときの分析条件を、該試料の実際の分析に用いる分析メソッドとして決定する。
【先行技術文献】
【特許文献】
【０００８】
【特許文献１】特開２００５ー１２７８１４号公報
【発明の概要】
【発明が解決しようとする課題】
【０００９】
上述した通り、メソッドスカウティングでは、各種の設定項目の分析パラメータの組み合わせを変えたメソッドファイルが網羅的に作成される。ところが、分析パラメータの中には組み合わせることに意味がないもの、或いは組み合わせることが適切ではないものが含まれる。例えば、ｐＨ調整試薬としてＴＦＡを含む溶媒と酢酸を含む溶媒とを組み合わせて移動相として用いることは、各添加剤が互いの作用を妨げるため適切ではない。０.１％のギ酸を含む溶媒と、０.０１％のギ酸を含む溶媒とを組み合わせて移動相として用いることは、移動相中のギ酸濃度を決定する点では意味がない。また、溶媒の種類によっては混合することにより該溶媒に含まれる添加物が析出することがあり、このような溶媒を組み合わせて移動相とすることも適切ではない。
【００１０】
意味のない、或いは適切ではない分析パラメータの組み合わせからなるメソッドファイルに従って予備的分析が実行されると、その分、予備的分析の時間が長くなるばかりでなく、溶媒や試料が無駄になり、前述のように析出が生じるとその後の分析を阻害するという問題があった。
【００１１】
本発明は、上記課題を解決するために成されたものであり、その主な目的は、メソッドスカウティングのためのメソッドファイルを作成する場合において、不適切な分析パラメータの組み合わせが含まれることを防止した、液体クロマトグラフ用の分析パラメータを設定する機能を含む制御装置及びその制御方法を提供することである。
【課題を解決するための手段】
【００１２】
上記課題を解決するために成された本発明に係る液体クロマトグラフ用制御装置は、液体クロマトグラフの動作条件を規定する複数の設定項目の分析パラメータを記述したメソッドファイルに従って前記液体クロマトグラフの動作を制御する液体クロマトグラフ用制御装置であって、
a) 各設定項目について、設定可能な分析パラメータを条件設定画面に表示する表示手段と、
b) 各設定項目の分析パラメータについて、他の設定項目の分析パラメータとの組み合わせの適否を勘案したグループ分けをユーザに実行させるグループ設定手段と、
c) 各設定項目の分析パラメータの中から同一グループに属する分析パラメータを抽出し、組み合わせてメソッドファイルを作成するファイル作成手段と、
を備えることを特徴とする。
【００１３】
ここで、設定項目とは、クロマトグラフ分析において複数種類の溶媒から移動相を構成する場合、その複数種類の溶媒の構成比率や、グラジエント送液法の場合はその経時的変化をいう。さらに、カラムの種類が設定項目に含まれてもよい。分析パラメータとは、各設定項目の具体的な種類や値など（例えば、移動相を構成する各溶媒の種類やカラムの種類など）をいう。
【００１４】
表示手段は、これら設定項目のそれぞれについて、設定可能な分析パラメータを条件設定画面に表示する。グループ設定手段は、各設定項目の分析パラメータについて、それを他の設定項目の分析パラメータと組み合わせることが妥当であるか否かを勘案したグループ分けを、ユーザに実行させる。例えば、使用する２つの移動相の性質（酸とアルカリ、有機系と水系等）を勘案し、組み合わせが妥当である移動相の種類（分析パラメータ）（例えば、酢酸系、TFA系）が同一グループに属するようにグループ分けを行う。また、移動相とカラムの極性等、他の設定項目同士の分析パラメータの組み合わせについても、同様の観点からグループ分けを行う。ファイル作成手段は、こうしてグループ分けされた各設定項目の分析パラメータから、同一のグループに属するものだけを抽出し、組み合わせてメソッドファイルを作成する。これにより、無意味な、或いは、適切でない分析パラメータの組み合わせが排除され、効率の良いメソッドスカウティングを行うことができるようになる。
【００１５】
本発明に係る液体クロマトグラフの制御方法は、液体クロマトグラフの動作条件を規定する複数の設定項目の分析パラメータを記述したメソッドファイルに従って前記液体クロマトグラフの動作を制御する液体クロマトグラフの制御方法であって、
a) 各設定項目について、設定可能な分析パラメータを条件設定画面に表示する表示ステップと、
b) 各設定項目の分析パラメータについて、他の設定項目の分析パラメータとの組み合わせの適否を勘案したグループ分けをユーザに実行させるグループ設定ステップと、
c) 各設定項目の分析パラメータの中から同一グループに属する分析パラメータを抽出し、組み合わせてメソッドファイルを作成するファイル作成ステップと、
を備えることを特徴とする。
【発明の効果】
【００１６】
本発明に係る液体クロマトグラフ用制御装置及びその制御方法によれば、他の設定項目の分析パラメータとの組み合わせの適否を勘案してグループ分けされた各設定項目の分析パラメータから、同一のグループに属するものだけを抽出し、組み合わせてメソッドファイルが作成され、意味のない又は不適切な分析パラメータの組み合わせを含むメソッドファイルは作成されない。その結果、不要な分析が実行されることによる、時間や、溶媒、試料の無駄が防止できる。
【図面の簡単な説明】
【００１７】
【図１】本発明の一実施例に係る液体クロマトグラフ用制御装置を備えた液体クロマトグラフの概略構成図。
【図２】同実施例に係る液体クロマトグラフ用制御装置の動作を示すフローチャート。
【図３】グラジエントプロファイルの一例を示す図。
【図４】同実施例に係る液体クロマトグラフ用制御装置のグループ名を入力する画面の一例の概略図。
【図５】同実施例に係る液体クロマトグラフ用制御装置において入力された溶媒Ａの２種類の分析パラメータと溶媒Ｂの２種類の分析パラメータの全ての組み合わせ（ａ）と各分析パラメータに割り付けたグループ名（ｂ）を示す表。
【図６】メソッドスカウティングにおけるスケジュールファイルの一例を示す図であり、（ａ）は本実施例の装置によるものであり、（ｂ）は従来の装置によるものである。
【図７】スケジュールテーブルの一例を示す図。
【図８】分析メソッドの違いによって得られる結果の差異を示す図。
【発明を実施するための形態】
【００１８】
本発明に係る液体クロマトグラフ用制御装置の一実施例を、図面を参照して説明する。図１は本実施例に係る液体クロマトグラフ用制御装置を備えた液体クロマトグラフの概略構成図である。本実施例に係る液体クロマトグラフは、移動相を構成する２つの溶媒（溶媒Ａ及び溶媒Ｂ）の混合比を時間的に変化させつつクロマトグラフ分析を行うグラジエント分析を実行できるようになっている。
なお、本実施例の装置は、グラジエント分析を行うことができる構成となっているが、本発明の液体クロマトグラフ用制御装置は、２種類の溶媒から移動相を構成するが、その溶媒の構成比率は変化させない分析（アイソクラティック分析）にも適用できることは当然である。
【００１９】
この液体クロマトグラフは、送液部１０、オートサンプラ２０、カラムオーブン３０、検出部４０、これら各部（ユニット）をそれぞれ制御するシステムコントローラ５０、システムコントローラ５０を通して分析作業を管理したり検出部４０で得られたデータを解析・処理したりする制御装置６０、制御装置６０に接続されたキーボードやマウスから成る操作部７１、ディスプレイから成る表示部７２などを備える。
【００２０】
送液部１０は、送液ポンプＰＡによって吸引された溶媒Ａと、送液ポンプＰＢによって吸引された溶媒Ｂとをグラジエントミキサー１７によって混合した上でカラムへと送出するものであり、更に、送液ポンプＰＡ、ＰＢにはそれぞれ溶媒切替バルブ１５、１６及び脱気ユニット１３、１４を介して４つの溶媒容器が接続されている。このうち、送液ポンプＰＡに接続された溶媒容器１１ａ〜１１ｄには例えば水系の溶媒（即ち水を主成分とする溶媒）が収容されており、溶媒切替バルブ１５の切り替えにより、これら４つの溶媒容器１１ａ〜１１ｄの内の１つが選択されて該容器内の溶媒が前記溶媒Ａとして送液ポンプＰＡにより吸引される。一方、送液ポンプＰＢに接続された溶媒容器１２ａ〜１２ｄには例えば有機系の溶媒（即ち有機溶媒を主成分とする溶媒）が収容されており、溶媒切替バルブ１６の切り替えにより４つの溶媒容器１２ａ〜１２ｄの内の１つが選択されて該容器内の溶媒が前記溶媒Ｂとして送液ポンプＰＢにより吸引される。これら送液ポンプＰＡ、ＰＢの流量は時間経過に伴ってそれぞれ変化するように制御することが可能であり、これによって溶媒Ａ、Ｂの混合比率が時間的に変化するグラジエント方式の送液を行うことができる。カラムオーブン３０は、６つのカラム３２ａ〜３２ｆ、及びこれらのカラムのいずれか１つを選択的に移動相の流路に接続するための流路切替部３１、３３を内装している。検出部４０には例えばＰＤＡ検出器などの検出器４１が設けられている。
【００２１】
制御装置６０は、記憶部６１、分析条件設定部６２、メソッドファイル作成部６３、スケジュールテーブル作成部６４、分析制御部６５、データ処理部６６を機能ブロックとして含んでいる。制御装置６０の実体はコンピュータであり、コンピュータにインストールした専用の制御／処理ソフトウエアを実行することにより後述するような各種機能が達成される。
【００２２】
上記の液体クロマトグラフを用いた１回のグラジエント分析における標準的な分析動作は次の通りである。即ち、制御装置６０の分析制御部６５から指示を受けたシステムコントローラ５０の制御の下で、溶媒切替バルブ１５、１６がそれぞれ１つの溶媒容器を選択し、送液ポンプＰＡ、ＰＢが前記溶媒容器から所定の流量で以て溶媒を吸引する。送液ポンプＰＡで吸引された溶媒Ａと送液ポンプＰＢで吸引された溶媒Ｂは、グラジエントミキサー１７によって均一に混合され、混合後の移動相は、オートサンプラ２０を介してカラムへと流入する。オートサンプラ２０には１つ以上の試料瓶（バイアル）が搭載されたラックがセットされており、システムコントローラ５０の制御の下に所定の試料を選択してこれを採取し、所定のタイミングで以て該試料を移動相中に注入する。この試料は移動相に乗ってカラム３２ａ〜３２ｆのいずれかに導入される。
【００２３】
このとき、図３のグラジエントプロファイルに示すように、試料の注入から所定の時間が経過するまでの間は、溶媒Ｂの比率が低く、溶媒Ａの比率が高い状態となるように送液ポンプＰＡ、ＰＢの流量が制御される（時刻ｔ０〜ｔ１：試料導入工程）。溶媒Ａとしては、溶出力の弱い溶媒が用いられるため、これにより試料中の各成分が一旦カラムに吸着する。続いて、送液ポンプＰＡ、ＰＢの流量を時間経過に従って変化させて溶媒Ｂの比率を上げていく（時刻ｔ１〜ｔ２：グラジエント工程）。溶媒Ｂとしては、溶出力の強い溶媒が用いられるため、これによりカラムに吸着していた各成分がその極性に応じて順次カラムから溶出されて検出部４０に導入される。
【００２４】
そして、検出部４０に設けられた検出器４１によって各成分が順次検出され、その濃度に応じた検出信号をデジタル化したデータがシステムコントローラ５０を介して制御装置６０へ送られる。制御装置６０では受け取ったデータをハードディスク等の記憶装置上に設けられた記憶部６１に格納するとともに、データ処理部６６で所定の処理を行ってクロマトグラムを作成し表示部７２の画面上に表示する。その後、溶媒Ｂを一定時間高濃度で送液することによりカラムを洗浄し（時刻ｔ２〜ｔ３：洗浄工程）、再び初期の移動相組成に戻してカラムを一定時間平衡化する（時刻ｔ３〜ｔ４：平衡化工程）。
【００２５】
ここで、上述の試料導入工程、グラジエント工程、洗浄工程、及び平衡化工程の実行時間、グラジエント工程の開始時における移動相の組成、グラジエント工程の終了時における移動相の組成、及び前記洗浄工程における移動相の組成をグラジエント条件という。
【００２６】
次に、本実施例の液体クロマトグラフ用制御装置における特徴的な動作として、複数の設定項目の分析パラメータの組み合わせから成るメソッドファイル作成時の動作について図２のフローチャートを参照しつつ説明する。前述のように、メソッドファイルとは、液体クロマトグラフを構成する各ユニットの動作条件を指定するパラメータが格納されたファイルであり、例えば、分析時に使用する移動相やカラム、分析時におけるポンプ流量やカラムオーブンの温度といった各種の設定項目についての種類や値などの分析パラメータが格納されている。
【００２７】
まず、ユーザが操作部７１を操作して、メソッドスカウティングを行う旨を分析条件設定部６２に入力する。これにより、表示部７２の画面上に、設定が必要な各部における設定項目が明示された所定の設定画面（図示略）が表示される。この設定画面において、ユーザは、分析対象とする試料名とその注入量を入力すると共に、カラム３２ａ〜３２ｆのうち使用するカラムなど、メソッドファイルを構成する設定項目の分析パラメータを入力する（ステップＳ１１）。各設定項目について複数の分析パラメータを入力しても良く、１つだけ入力しても良い。本実施例の装置は、２種類の溶媒Ａ及びＢを組み合わせて移動相を構成するものであるから、溶媒Ａ、溶媒Ｂのそれぞれを１つの設定項目としている。また、説明を簡単にするために、溶媒Ａと溶媒Ｂの２つの設定項目についてのみ複数の分析パラメータを入力することとする。具体的には、溶媒Ａとして溶媒容器１１ａ〜１１ｄに収容した溶媒名、溶媒Ｂとして溶媒容器１２ａ〜１２ｄに収容した溶媒名をそれぞれ複数入力する。
【００２８】
続いて、ユーザはステップＳ１１で入力した各設定項目の分析パラメータについて、その分析パラメータとは別の設定項目の分析パラメータとの組み合わせの適否を勘案してグループ分けを行う（ステップＳ１２）。このグループ分けとは、分析パラメータの物理的性質や化学的性質に基づいて、ある設定項目の分析パラメータと別の設定項目の分析パラメータとを組み合わせることが適切か否か、又は意味があるか否かをユーザが判断し、適切な又は意味がある組み合わせの分析パラメータを同一のグループに分ける操作である。グループ分けは、同一のグループであることを表すものであればその表現方法は問わない。本実施例において、グループ分けは、物理的性質や化学的性質に基づいて、予め決められたグループ番号を入力するものとする。
【００２９】
なお、グループ分けは、設定可能な全ての分析パラメータについて行っても良い。この場合、全ての設定項目の分析パラメータが１つしかない場合や設定可能な分析パラメータが１つしかない場合は、その１つの分析パラメータが１つのグループとなる。
もっとも、グループ分けは、組み合わせの適否を判断する必要がある分析パラメータについてのみ行うようにすることが望ましい。「組み合わせの適否を判断する必要がある分析パラメータ」とは、複数の設定項目についてそれぞれ複数の分析パラメータが存在する場合の該複数の分析パラメータを指す。全ての設定項目の分析パラメータが１つしかない場合や設定可能な分析パラメータが１つしかない場合は、組み合わせの適否を判断するまでもなく、これら分析パラメータを組み合わせて１つのメソッドファイルが作成されることになるからである。
【００３０】
本実施例では、組み合わせの適否を判断する必要がある分析パラメータ、即ち、溶媒Ａの分析パラメータと溶媒Ｂの分析パラメータについてのみ、図４に示すように、グループ番号を入力する（グループ分けを実行する）こととする。なお、図４では、ステップＳ１１における設定項目の分析パラメータを入力する設定画面と同じ画面上で各分析パラメータのグループ番号を入力するようになっているが、この設定画面とは別の画面に設定可能な分析パラメータが表示され、その画面上でグループ番号を入力するようにしてもよい。
【００３１】
ここで、具体例を挙げてグループ分けについて説明する。いま、溶媒Ａの分析パラメータとして、水にトリフルオロ酢酸（ＴＦＡ）を添加したもの（以下、「溶媒ＴＦＡ／水」と略す）と、水に酢酸アンモニウムを添加したもの（溶媒ＣＨ３ＣＯＯＮＨ４／水）の２種類の水系の溶媒が設定され、溶媒Ｂの分析パラメータとして、アセトニトリルにＴＦＡを添加したもの（溶媒ＴＦＡ／ＡＣＮ）とアセトニトリルに酢酸アンモニウムを添加したもの（溶媒ＣＨ３ＣＯＯＮＨ４／ＡＣＮ）の２種類の有機系の溶媒が設定されたとする。この場合、溶媒Ａの分析パラメータ２種類と溶媒Ｂの分析パラメータ２種類を組み合わせて作成される移動相は、図５（ａ）に示すように４種類（Ｎｏ．１〜４）となる。
【００３２】
ところが、添加剤が異なる溶媒同士を組み合わせると、各添加剤が互いの作用を妨げてしまったり、添加剤同士が反応して析出物が生じたりすることがあり、このような溶媒同士の組み合わせから成る移動相を分析に用いることは好ましくない。つまり、図５（ａ）に示す４種類の移動相のうちＮｏ．２とＮｏ．３の移動相は、組み合わせることが適切でない溶媒から成る。そこで、添加剤ＴＦＡを含む溶媒のグループ番号を「１」に、添加剤ＣＨ３ＣＯＯＮＨ４を含む溶媒のグループ番号を「２」とし、４種類の溶媒にグループ番号を設定する（図５（ｂ））。
【００３３】
グループ分けが完了すると、適宜、前記分析条件設定部６２により分析に必要な他の条件設定がなされる（ステップＳ１３）。本実施例ではグラジエント分析を行うため、図３のようなグラジエントプロファイルが作成される。
なお、このステップＳ１３は、ステップＳ１１でグラジエント条件が入力設定された後で、且つ後述のメソッドファイル作成前に行われればよく、ステップＳ１２より前に行われてもよい。
【００３４】
その後、ユーザが操作部７１で所定の操作を行うことによりメソッドファイル作成部６３へメソッドファイルの作成を指示すると、各設定項目の分析パラメータの中から、同一グループに属する分析パラメータが抽出（選択）され組み合わされることによってメソッドファイルが生成され、記憶部６１に保存される（ステップＳ１４）。
【００３５】
本実施例では、同じグループ名の溶媒Ａの分析パラメータと溶媒Ｂの分析パラメータが自動的且つ網羅的に組み合わされたものがメソッドファイルの移動相として記述される。具体的には、グループ名「１」の分析パラメータである溶媒ＴＦＡ／水と溶媒ＴＦＡ／ＡＣＮの中からの組み合わせ（図５（ａ）のＮｏ．１）と、グループ名「２」の分析パラメータである溶媒ＣＨ３ＣＯＯＮＨ４／水と溶媒ＣＨ３ＣＯＯＮＨ４／ＡＣＮの中からの組み合わせ（図５（ａ）のＮｏ．４）のみが移動相として記述される。そして、これらの２個の移動相と、分析パラメータが１つしかない他の設定項目の該分析パラメータとの組み合わせから成る合計２個のメソッドファイルが作成される（図６（ａ））。
【００３６】
その後、ユーザが操作部７１で所定の操作を行うことによりスケジュールテーブル作成部６４へスケジュールテーブルの作成が指示されると、ステップＳ１４で作成されたメソッドファイルがスケジュールテーブルに記述されスケジュールテーブルが作成される（ステップＳ１５）。ここでは、例えば図７に示すようなスケジュールテーブルが２行作成され表示部７２の画面上に表示される。その後分析の開始が指示されると、この作成されたスケジュールテーブルに従って試料の予備的分析が実行される。
【００３７】
一方、上記の溶媒Ａの分析パラメータ２種類と溶媒Ｂの分析パラメータ２種類とを全て、自動的且つ網羅的に組み合わせた移動相がメソッドファイルに記述されていた従来の方法では、上記の２個のメソッドファイルの他に、添加剤が異なる溶媒同士の組み合わせからなる移動相（図５（ａ）のＮｏ．２及びＮｏ．３）もメソッドファイルに記述され、合計４個のメソッドファイルが作成される（図６（ｂ））。この結果、これら４個のメソッドファイルからスケジュールテーブルが作成され、このスケジュールテーブルに従って予備的分析が実行されることになる。上述したように、添加剤が異なる溶媒の組み合わせからなる移動相を用いて分析を行うことは好ましくなく、これらの分析に費やされる時間や試料、溶媒は無駄となる。
【００３８】
これに対して、本実施例では、同一グループに属する、組み合わせることが適切なものの中から抽出された分析パラメータの組み合わせから成るメソッドファイルのみが作成されるため、無駄な予備的分析が実行されることがない。従って、分析時間を短縮したり、試料や溶媒などの無駄な消費をなくしたりすることが可能となる。
【００３９】
以上、本発明を実施するための形態について具体例を挙げて説明を行ったが、本発明は上記実施例に限定されるものではなく、本発明の趣旨の範囲で適宜変更が許容される。例えば以下に示すような変形例が可能である。
【００４０】
上記の実施例では、溶媒Ａ及び溶媒Ｂの各分析パラメータを、添加剤の種類に基づいてグループ分けを行ったが、添加剤の濃度に基づいてグループ分けすることがあり得る。例えば、溶媒Ａの分析パラメータとして、添加剤であるギ酸を０％、０．０１％、０．１％含む３種類の溶媒があり、溶媒Ｂの分析パラメータとして、添加剤であるギ酸を０％、０．０１％、０．１％含む３種類の溶媒がある場合に、ギ酸の濃度が異なる溶媒Ａと溶媒Ｂの分析パラメータ同士を組み合わせると、移動相のギ酸濃度が変化してしまうため、好ましくない。そこで、この場合は、同じギ酸濃度の分析パラメータが同じグループに属するようグループ分けを行う。
【００４１】
また、移動相以外に、カラムについても、複数の分析パラメータが設定された場合に移動相との組み合わせの適否を考慮してグループ分けを行うことが考えられる。
【００４２】
さらに、一つの分析パラメータが複数のグループに属する場合もある。例えば、上記の実施例で説明した溶媒Ａと溶媒Ｂの他に、カラムについても複数の分析パラメータ（カラムＣ１とカラムＣ２）が設定され、これらカラムＣ１及びＣ２が、グループ番号１の溶媒の組み合わせから成る移動相、及びグループ番号２の溶媒の組み合わせから成る移動相のいずれの分析にも用いることができる場合には、カラムＣ１及びＣ２には、それぞれグループ番号１及び２の両方を設定する。この例では、溶媒Ａ、溶媒Ｂ、カラムの各分析パラメータの組み合わせから成るメソッドファイルは４種類作成されることになる。
【００４３】
また、組み合わせの適否を判断する際の基準としては、移動相では、例えば水系溶媒或いは有機系溶媒といった分析パラメータの種類や、溶媒のｐＨ値、アルカリ性・酸性といった化学的性質などが挙げられる。
【符号の説明】
【００４４】
１０…送液部
１１ａ〜１１ｄ、１２ａ〜１２ｄ…溶媒容器
ＰＡ、ＰＢ…送液ポンプ
１５、１６…溶媒切替バルブ
１７…グラジエントミキサー
２０…オートサンプラ
３０…カラムオーブン
３２ａ〜３２ｆ…カラム
４０…検出部
４１…検出器
５０…システムコントローラ
６０…制御装置
６１…記憶部
６２…分析条件設定部
６３…メソッドファイル作成部
６４…スケジュールテーブル作成部
６５…分析制御部
６６…データ処理部
７１…操作部
７２…表示部
【図１】
2015017924.tif 000003
【図２】
2015017924.tif 000004
【図３】
2015017924.tif 000005
【図４】
2015017924.tif 000006
【図５】
2015017924.tif 000007
【図６】
2015017924.tif 000008
【図７】
2015017924.tif 000009
【図８】
2015017924.tif 000010